(57)【特許請求の範囲】
【請求項１】
原稿載置面に載置された原稿の反射光を受光して原稿画像を読取るスキャナ部を有したスキャナ装置において、
原稿載置面として機能するコンタクトガラス上にあって、一端ヒンジ部を回動軸として開閉自在に設けられた光透過型の液晶パネルと、
上記液晶パネルの上面側で一端ヒンジ部を回動軸として開閉自在に設けられた、バックライトユニット付きで、かつ、コンタクトガラス対向面が白色の原稿押えリッドと、
外部から入力されたビデオ信号により上記液晶パネルを駆動する液晶ドライバと、
上記バックライトユニットを駆動するバックライトユニットドライバと、
外部から入力されるビデオ信号の少なくとも１フレーム分を一時的に保存するビデオバッファと、を備え、
上記液晶パネルと原稿押えリッドとを開いて起立状態とし、かつ、該液晶パネルとバックライトユニットとを密着させて、上記液晶ドライバにより液晶パネルを駆動し、上記バックライトユニットドライバによりバックライトユニットを駆動して該液晶パネルをビデオモニタとして動作させることができる構成とされ、
上記液晶パネルと原稿押えリッドとを閉じた状態で、該液晶ドライバとバックライトユニットを非駆動とし、該液晶パネルの上面側に載置した原稿を上記原稿押えリッドにより押え、上記スキャナ部により該液晶パネルを透過した原稿の反射光を受光して画像読取りを行い、
同じく上記液晶パネルと原稿押えリッドとを閉じた状態で、該液晶パネルとバックライトユニットを駆動して、上記スキャナ部によりビデオ信号画像を読取りキャプチャすることを特徴とするスキャナ装置。
【請求項２】
原稿載置面に載置された原稿の反射光を受光して原稿画像を読取るスキャナ部を有したスキャナ装置において、
原稿載置面として機能する、一端ヒンジ部を回動軸として開閉自在に設けられた光透過型の液晶パネルと、
上記液晶パネルの上面側で一端ヒンジ部を回動軸として開閉自在に設けられた原稿押えリッドと、
外部から入力されたビデオ信号により上記液晶パネルを駆動する液晶ドライバと、を備え、
上記液晶パネルと原稿押えリッドとを開いて起立状態として、該液晶ドライバにより液晶パネルを駆動して該液晶パネルをビデオモニタとして動作させることができる構成とされ、
上記液晶パネルと原稿押えリッドとを閉じた状態で、該液晶パネルを非駆動とし、該液晶パネルの上面側に載置した原稿を上記原稿押えリッドにより押え、上記スキャナ部により該液晶パネルを透過した原稿の反射光を受光して画像読取りを行い、
同じく上記液晶パネルと原稿押えリッドとを閉じた状態で、該液晶ドライバを駆動して、上記スキャナ部によりビデオ信号画像を読取りキャプチャすることを特徴とするスキャナ装置。
【請求項３】
装置本体に固定のコンタクトガラスを備え、上記液晶パネルは、そのコンタクトガラス上に開閉自在に設けられていることを特徴とする請求項２に記載のスキャナ装置。
【発明の詳細な説明】
【技術分野】
【０００１】
本発明は、原稿載置面上に載置された原稿の反射光を受光して原稿画像を読取るスキャナ部を有したスキャナ装置に関する。
【背景技術】
【０００２】
従来から、スキャナ装置において、原稿が載置されるコンタクトガラスを液晶パネルで構成し、液晶パネルを透明状態とすることにより、液晶パネル上に載置された原稿を通常通り読取り可能とすると共に、液晶パネルを作動させて表示させた画像の読取りも可能とした画像読取装置が知られている（例えば、特許文献１参照）。
【０００３】
また、上記と同様の画像読取装置において、液晶パネルに各種情報を表示させ、原稿と液晶パネルの表示画像との合成画像を読取りできるようにしたものも知られている（例えば、特許文献２）。
【０００４】
また、コンタクトガラスの下側に液晶パネルを配置し、画像読取りされる情報を表示すると共に、原稿領域外を不透明化することができる画像読取装置が知られている（例えば、特許文献３参照）。
【０００５】
また、原稿押え板に液晶パネルを設け、この液晶表示画像又はコンタクトガラス上に載置した原稿の画像の読取りを可能とする画像読取装置（第１の形態）、及び、コンタクトガラスに代えて液晶パネルを設け、この液晶表示画像又は、該液晶パネルの透明状態で液晶パネル上に載置した原稿の画像を読取る画像読取装置（第２の形態）が知られている（例えば、特許文献４参照）。
【特許文献１】特開昭６１−１３０９４４号公報
【特許文献２】特開平７−８４２３３号公報
【特許文献３】特開平７−１８４００５号公報
【特許文献４】特開平１１−２１５３１２号公報
【発明の開示】
【発明が解決しようとする課題】
【０００６】
しかしながら、上記特許文献１乃至３及び特許文献４の第２の形態に記載の画像読取装置は、液晶パネルがコンタクトガラスに固定され、又はコンタクトガラスに代えて設けられた構造であるため、液晶パネルに画像を表示させ、ユーザがその画像を見ようとしたとき、本体上方から覗き込むことになり、見ずらいばかりか、表示画像は半透明な状態となっているため、見難いものとなる。
【０００７】
また、上記特許文献４の第１の形態に記載の画像読取装置は、原稿押え板に液晶パネルを設けているが、原稿押え板と液晶パネルとが互いに個別に移動できるものではないので、コンタクトガラス上に載置した原稿を、原稿押え板でなく液晶パネルで押えることになり、的確に押えることが難しい。さらには、液晶パネルを起立させた状態でビデオモニタとして使用できるようにはなっていない。
【０００８】
本発明は、上記問題に鑑みてなされたもので、通常の原稿スキャンと、ビデオ信号のスキャン画像取り込みを可能とし、さらには、液晶パネルを起立させた状態でビデオモニタとして使用できるようにしたスキャナ装置を提供することを目的とする。
【課題を解決するための手段】
【０００９】
請求項１の発明は、原稿載置面に載置された原稿の反射光を受光して原稿画像を読取るスキャナ部を有したスキャナ装置において、原稿載置面として機能するコンタクトガラス上にあって、一端ヒンジ部を回動軸として開閉自在に設けられた光透過型の液晶パネルと、上記液晶パネルの上面側で一端ヒンジ部を回動軸として開閉自在に設けられた、バックライトユニット付きで、かつ、コンタクトガラス対向面が白色の原稿押えリッドと、外部から入力されたビデオ信号により上記液晶パネルを駆動する液晶ドライバと、上記バックライトユニットを駆動するバックライトユニットドライバと、外部から入力されるビデオ信号の少なくとも１フレーム分を一時的に保存するビデオバッファと、を備え、
上記液晶パネルと原稿押えリッドとを開いて起立状態とし、かつ、該液晶パネルとバックライトユニットとを密着させて、上記液晶ドライバにより液晶パネルを駆動し、上記バックライトユニットドライバによりバックライトユニットを駆動して該液晶パネルをビデオモニタとして動作させることができる構成とされ、上記液晶パネルと原稿押えリッドとを閉じた状態で、該液晶ドライバとバックライトユニットを非駆動とし、該液晶パネルの上面側に載置した原稿を上記原稿押えリッドにより押え、上記スキャナ部により該液晶パネルを透過した原稿の反射光を受光して画像読取りを行い、同じく上記液晶パネルと原稿押えリッドとを閉じた状態で、該液晶パネルとバックライトユニットを駆動して、上記スキャナ部によりビデオ信号画像を読取りキャプチャするものである。
【００１０】
請求項２の発明は、原稿載置面に載置された原稿の反射光を受光して原稿画像を読取るスキャナ部を有したスキャナ装置において、原稿載置面として機能する、一端ヒンジ部を回動軸として開閉自在に設けられた光透過型の液晶パネルと、上記液晶パネルの上面側で一端ヒンジ部を回動軸として開閉自在に設けられた原稿押えリッドと、外部から入力されたビデオ信号により上記液晶パネルを駆動する液晶ドライバと、を備え、上記液晶パネルと原稿押えリッドとを開いて起立状態として、該液晶ドライバにより液晶パネルを駆動して該液晶パネルをビデオモニタとして動作させることができる構成とされ、上記液晶パネルと原稿押えリッドとを閉じた状態で、該液晶パネルを非駆動とし、該液晶パネルの上面側に載置した原稿を上記原稿押えリッドにより押え、上記スキャナ部により該液晶パネルを透過した原稿の反射光を受光して画像読取りを行い、同じく上記液晶パネルと原稿押えリッドとを閉じた状態で、該液晶ドライバを駆動して、上記スキャナ部によりビデオ信号画像を読取りキャプチャするものである。
【００１１】
請求項３の発明は、上記において、装置本体に固定のコンタクトガラスを備え、上記液晶パネルは、そのコンタクトガラス上に開閉自在に設けられているものである。
【発明の効果】
【００１２】
本発明によれば、原稿を原稿押えリッドにより押えた状態で、液晶パネルを透過した原稿の反射光を受光して通常の原稿スキャンを行うことができると共に、液晶パネルにビデオ信号画像を表示させ、これをスキャンして画像キャプチャすることができる。さらに、液晶パネルを起立させた状態でビデオモニタとして好適に使用することができる。また、１フレーム分のビデオバッファを備えていれば、容易に画像キャプチャすることが可能となる。また、液晶パネルをコンタクトガラスとして機能させることも可能である。
【発明を実施するための最良の形態】
【００１３】
以下、本発明の一実施形態に係るスキャナ装置について図面を参照して説明する。図１及び図２は、本実施形態に係るスキャナ装置の原稿押えリッド等を開いた状態と、原稿押えリッド等を閉じ方向に回動させている状態の外観を示し、図３は同装置の側断面を示す。このスキャナ装置は、コンタクトガラス１上にある原稿の反射光を受光して原稿画像を読取るスキャナ部２（図３、図４参照）を内装した本体ケース３と、この本体ケース３上に開閉自在に設けられた原稿押えリッド４と、同じく開閉自在に設けられた光透過型ＬＣＤから成る液晶パネル５と、を備える。
【００１４】
コンタクトガラス１は、本体ケース３の上面開口に固定されている。原稿押えリッド４は、その後端（一端）部にあるヒンジ部４ａを回動軸として液晶パネル５の上面側に配置されている。液晶パネル５は、その後端（一端）部にあるヒンジ部５ａを回動軸としてコンタクトガラス１上に配置されている。これらヒンジ部４ａ，５ａを保持する相手方は、本体ケース３に設けられている。また、原稿押えリッド４は、液晶パネル５との対向面に液晶パネル５用のバックライトユニット６を備えている。本体ケース３には、ユーザにより操作される操作パネル７及び操作キー８が設けられている。
【００１５】
本装置の液晶パネル５は、外部から入力されたビデオ信号画像を表示できるものとされ、バックライトユニット６付きの原稿押えリッド４及び液晶パネル５を図１に示したように起立させた状態とし、液晶パネル５にビデオ信号を入力すると共に、バックライトユニット６を点灯動作させることで、液晶パネル５をビデオモニタとして使用可能となる。
【００１６】
また、通常の原稿スキャン時には、図２に矢印で示すように、液晶パネル５を回動させてコンタクトガラス１上に位置させ、液晶パネル５の上に任意の原稿を載置し、原稿押えリッド４を回動して閉じることにより、バックライトユニット６を介して原稿を液晶パネル５に押し付ける。この状態で、スキャナ部２を動作させて原稿をスキャンする。この時には、当然ながら、液晶パネル５とバックライトユニット６は動作させない。原稿押えリッド４のバックライトユニット６が設けられている面には、白色でクッション性のある材質のフィルム等が貼り付けられている。また、ビデオ信号画像を読取りキャプチャする時は、液晶パネル５と原稿押えリッド４を閉じた状態で、液晶ドライバ５とバックライトユニット６を駆動して、スキャナ部２を動作させる。
【００１７】
図４は同装置のスキャナ部２の光学系と液晶パネル等のビデオ駆動回路を示す。スキャナ部２の光学系は、スキャン移動される第１走査ユニット２１、第２走査ユニット２２、結像用のレンズ２３、及びＣＣＤ２４ａを持つ読取りセンサ部２４を備える。第１走査ユニット２１は、原稿を照射するための光源２１ａと、原稿からの反射光を所定の光路に反射するための第１ミラー２１ｂとを有する。第２走査ユニット２２は、第１ミラー２１ｂからの反射光を反射させる第２及び第３のミラー２２ａ，２２ｂを有する。また、ビデオ駆動回路は、外部からビデオ信号が入力され、その少なくとも１フレーム分を一時的に保存するビデオバッファ５１と、当該ビデオ信号に基づいて液晶パネル５を駆動する液晶ドライバ５２と、バックライトユニット６を駆動するバックライトユニットドライバ５３と、を備えている。液晶パネル５及びバックライトユニット６への電線は、ヒンジ部４ａ，５ａを通して配線している。
【００１８】
上記のように構成された本実施形態のスキャン装置においては、通常の原稿スキャン時には、液晶パネル５を回動させてコンタクトガラス１上に閉じた状態とし、液晶パネル５上に原稿Ｄ（図４参照）を載置してから、原稿押えリッド４を閉じる。この状態にて、液晶パネル５とバックライトユニット６は非駆動とし、スキャナ部２の光源２１ａを点灯させ、その液晶パネル５を透過した原稿Ｄの反射光が、スキャナ部２の周知の光学スキャン動作によりＣＣＤ２４ａに結像される。このとき、液晶パネル５は原稿Ｄの原稿載置面として機能し、原稿Ｄは、白色のクッション性材質部材を持つ原稿押えリッド４により液晶パネル５上に押し付けられるので、原稿Ｄを的確にスキャンすることができる。なお、原稿は、コンタクトガラス１上に載置してスキャンすることも可能である。
【００１９】
また、液晶パネル５によるビデオ信号の表示画像をスキャン画像として読取る時は、上記と同様に液晶パネル５及び原稿押えリッド４を回動させて閉じた状態とし、光源２１ａは点灯させることなく、バックライトユニットドライバ５３を駆動してバックライトユニット６を点灯させると共に、ビデオバッファ５１による１フレーム分のビデオ信号により液晶ドライバ５２を駆動し、液晶パネル５にビデオ信号画像を表示させる。このビデオ信号画像の透過光がＣＣＤ２４ａに結像される。これにより、本装置は、液晶パネル５によるビデオ信号の画像キャプチャとして使用することができる。なお、原稿のスキャン領域を指定することができるようにしておくことで、任意の領域を画像ファイルとして取り込むことが可能となる。
【００２０】
また、液晶パネル５によるビデオ信号の表示画像をビデオモニタとして使用する時は、図１に示すように、原稿押えリッド４及び液晶パネル５を回動させて起立状態として、液晶パネル５に上記と同様、ビデオ信号画像を表示させる。このとき、原稿押えリッド４は、遮光機能を持つ。図１には、液晶パネル５にビデオ信号画像が表示されている様子を示している。ビデオモニタとしての使用時は、液晶パネル５のビデオ信号画像の上下が正常になるように、画像を反転表示させるものとする。
【００２１】
本発明は、上記実施形態の構成に限られることなく、発明の趣旨を変更しない範囲で種々の変形が可能である。例えば、上記実施形態では、コンタクトガラス１上に液晶パネル５が開閉自在に配置されたものを示したが、コンタクトガラス１に代えて、液晶パネル５自身がコンタクトガラス１として機能する構成とすることもできる。この構成では、コンタクトガラス１を省くことができる反面、液晶パネル５を開いてビデオモニタとして使用する時は、本体ケース３上面に開口ができることになる。また、上記では、ビデオ信号入力端を設けた例を示したが、テレビの受信回路を設けてもよい。
【図面の簡単な説明】
【００２２】
【図１】本発明の一実施形態に係るスキャナ装置の原稿押えリッド等を開いた状態を示す斜視図。
【図２】同スキャナ装置の原稿押えリッド等を閉じ方向に回動させている状態を示す斜視図。
【図３】同装置の概略側断面図。
【図４】同装置のスキャナ部の光学系と液晶パネル等のビデオ駆動回路を示す図。
【符号の説明】
【００２３】
１  コンタクトガラス
２  スキャナ部
４  原稿押えリッド
４ａ  ヒンジ部
５  液晶パネル
５ａ  ヒンジ部
６  バックライトユニット
５１  ビデオバッファ
５２  液晶ドライバ
５３  バックライトユニットドライバ
【図１】
0004732179.tif 000002
【図２】
0004732179.tif 000003
【図３】
0004732179.tif 000004
【図４】
0004732179.tif 000005